(57)【要約】      （修正有）【課題】複数種類または複数個の部品からなる家財道具の受注販売システムを提供する。【解決手段】受注販売システムは、ネットワーク機構１２０介して相互に接続されるユーザ側の第一通信装置１１０及び販売者側の第二通信装置１３０と、第二通信装置が第一通信装置から受信した電気信号を所定形式のデータに変換するデータ変換装置１４０と、データ変換装置１４０が変換したデータに従ってアルミニウム製の部材を加工する自動加工装置１５０と、からなる。【選択図】図１
2016170717.tif 000002
【特許請求の範囲】
【請求項１】
電気信号を発信する第一通信装置と、
ネットワーク機構と、
前記ネットワーク機構を介して前記第一通信装置が発信した電気信号を受信する第二通信装置と、
前記第二通信装置が受信した前記電気信号を予め定められた形式のデータに変換する変換装置と、
アルミニウム製の部材を加工する加工装置と、
からなるシステムであって、
前記第一通信装置が発信する前記電気信号には、前記第一通信装置の管理者が指定した家財の仕様を示すデータが含まれており、
前記変換装置が変換する前記データには、前記家財を構成する部材の各々の仕様を示す仕様データが含まれており、
前記加工装置は、前記仕様データが入力されると、前記仕様データに従って、前記部材の各々を加工するものであるシステム。
【請求項２】
前記部材は日本工業規格ＪＩＳ  Ｈ  ４１００に定められているアルミニウム（Ａｌ）−マグネシウム（Ｍｇ）−珪素（Ｓｉ）合金（６０００系）であることを特徴とする請求項１に記載のシステム。
【請求項３】
前記部材は日本工業規格ＪＩＳ  Ｈ  ４１００に定められているアルミニウム（Ａｌ）−亜鉛（Ｚｎ）−マグネシウム（Ｍｇ）合金（７０００系）であることを特徴とする請求項１に記載のシステム。
【請求項４】
前記部材は日本工業規格ＪＩＳ  Ｈ  ４１００に定められているアルミニウム（Ａｌ）−マグネシウム（Ｍｇ）合金（５０００系）であることを特徴とする請求項１に記載のシステム。
【発明の詳細な説明】
【技術分野】
【０００１】
本発明は、ハンガー、棚、衝立などアルミニウム合金の押し出し材で形成可能な家財をネットワーク経由で受注し、加工したうえで販売するシステムに関する。
【背景技術】
【０００２】
このようなシステムの一つとして、特開２００４−１３９２２８号公報に記載されたものがある。
同公報に記載されたシステムは、グレージングチャンネルと呼ばれる窓ガラスその他の板ガラス用枠をクライアントからネットワークを介して受注販売するシステムである。
【先行技術文献】
【特許文献】
【０００３】
【特許文献１】特開２００４−１３９２２８号公報
【発明の概要】
【発明が解決しようとする課題】
【０００４】
上記公報に記載のシステムは単体としての枠を販売するものであり、販売対象の品物が複数種類または複数個の部品からなる場合には、適用することは不可能であった。
【０００５】
本発明はこのような従来の受注販売用システムにおける問題点に鑑みてなされたものであり、受注販売対象の品物が複数種類または複数個の部品からなるものである場合にも適用可能なシステムを提供することを目的とする。
【課題を解決するための手段】
【０００６】
上記の目的を達成するため、本発明は、電気信号を発信する第一通信装置と、ネットワーク機構と、前記ネットワーク機構を介して前記第一通信装置が発信した電気信号を受信する第二通信装置と、前記第二通信装置が受信した前記電気信号を予め定められた形式のデータに変換する変換装置と、アルミニウム製の部材を加工する加工装置と、からなるシステムであって、前記第一通信装置が発信する前記電気信号には、前記第一通信装置の管理者が指定した家財の仕様を示すデータが含まれており、前記変換装置が変換する前記データには、前記家財を構成する部材の各々の仕様を示す仕様データが含まれており、前記加工装置は、前記仕様データが入力されると、前記仕様データに従って、前記部材の各々を加工するものであるシステムを提供する。
【０００７】
例えば、前記部材は日本工業規格ＪＩＳ  Ｈ  ４１００に定められているアルミニウム（Ａｌ）−マグネシウム（Ｍｇ）−珪素（Ｓｉ）合金（６０００系）、日本工業規格ＪＩＳ  Ｈ  ４１００に定められているアルミニウム（Ａｌ）−亜鉛（Ｚｎ）−マグネシウム（Ｍｇ）合金（７０００系）または日本工業規格ＪＩＳ  Ｈ  ４１００に定められているアルミニウム（Ａｌ）−マグネシウム（Ｍｇ）合金（５０００系）であることが好ましい。
【発明の効果】
【０００８】
本発明に係るシステムによれば、一つの品物が複数種類または複数個の部品からなるものである場合に、加工装置は、ユーザの要望に従って、それら複数種類または複数個の部品の各々を加工する。このように加工されたそれらの部品を組み立てることにより、所望の品物（例えば、机、棚、ハンガースタンドなどの家財）を得ることができ、ユーザにとっては利便性に長け、販売者側にとっては効率的な受注販売システムを構築することが可能である。
【図面の簡単な説明】
【０００９】
【図１】本発明の一実施形態に係る受注販売システムの概念図である。
【図２】受注販売システムの対象例としての棚の斜視図である。
【図３】図３（Ａ）は素材の第一の例に係る第一押し出し部材の斜視図、図３（Ｂ）は第一押し出し部材の断面図である。
【図４】図４（Ａ）は素材の第二の例に係る第二押し出し部材の斜視図、図４（Ｂ）は第二押し出し部材の断面図である。
【図５】図５（Ａ）は素材の第三の例に係る第三押し出し部材の斜視図、図５（Ｂ）は第三押し出し部材の断面図である。
【発明を実施するための形態】
【００１０】
図１は本発明の一実施形態に係る受注販売システム１００の概念図である。
本実施形態に係る受注販売システム１００は、ユーザにより使用される第一通信装置１１０と、ネットワーク機構１２０と、販売者により使用される第二通信装置１３０と、データ変換装置１４０と、素材１６０を加工する自動加工装置１５０と、から構成されている。
【００１１】
第一通信装置１１０は、例えば、パーソナルコンピュータからなり、Ｅメールに代表される電気信号を発信・受信する機能を有している。
【００１２】
第二通信装置１３０も、第一通信装置１１０と同様に、例えば、パーソナルコンピュータからなり、Ｅメールに代表される電気信号を発信・受信する機能を有している。
【００１３】
第一通信装置１１０と第二通信装置１３０とはネットワーク機構１２０を介して相互に接続されており、第一通信装置１１０と第二通信装置１３０との間において電気信号の送受信を行うことが可能になっている。
【００１４】
データ変換装置１４０は、第二通信装置１３０が受信した電気信号を予め定められた形式のデータ、具体的には、自動加工装置１５０が読み取り可能な形式のデータに変換する機能を有している。
【００１５】
自動加工装置１５０は、データ変換装置１４０により形式が変換されたデータに従って、素材１６０に対して切断、曲げその他の加工を施す機能を有している。
素材１６０はアルミニウム製の押し出し部材からなる。
【００１６】
図３（Ａ）は素材１６０の第一の例に係る第一押し出し部材１６１の斜視図、図３（Ｂ）は第一押し出し部材１６１の断面図である。図４（Ａ）は素材１６０の第二の例に係る第二押し出し部材１６２の斜視図、図４（Ｂ）は第二押し出し部材１６２の断面図である。図５（Ａ）は素材１６０の第三の例に係る第三押し出し部材１６３の斜視図、図５（Ｂ）は第三押し出し部材１６３の断面図である。
【００１７】
第一押し出し部材１６１はほぼ正方形の断面を有する中空の角材である。図３（Ｂ）に示すように、４隅のうちの２ヶ所には皿ビスを受け入れるための雌ネジ部１６４が形成されている。
【００１８】
第二押し出し部材１６２は、平板状の第一部分１６２Ａと、第一部分１６２Ａの下面から下方に延びる３個の延長部１６２Ｂと、から構成されている。
第一部分１６２Ａの下面には、各延長部１６２Ｂの間において、雌ネジ部１６４が形成されている。
【００１９】
また、両側に位置する延長部１６２Ｂには、それらの下端において、矩形状のフレーム部１６５が形成されている。フレーム部１６５の上面１６５Ａには雌ネジが形成されており、フレーム部１６５の下方から皿ネジをネジ入れることができるようになっている。
【００２０】
第三押し出し部材１６３はほぼ正方形の断面を有する中空の角材である。図５（Ｂ）に示すように、頂面１６３Ａの下面側には第一押し出し部材１６１と同様の雌ネジ部１６４が形成されている。
【００２１】
また、底面１６３Ｂには第二押し出し部材１６２と同様のフレーム部１６５が形成されている。
【００２２】
素材１６０としては、例えば、日本工業規格ＪＩＳ  Ｈ  ４１００に定められているアルミニウム（Ａｌ）−マグネシウム（Ｍｇ）−珪素（Ｓｉ）合金（６０００系）、日本工業規格ＪＩＳ  Ｈ  ４１００に定められているアルミニウム（Ａｌ）−亜鉛（Ｚｎ）−マグネシウム（Ｍｇ）合金（７０００系）及び日本工業規格ＪＩＳ  Ｈ  ４１００に定められているアルミニウム（Ａｌ）−マグネシウム（Ｍｇ）合金（５０００系）の何れかを選択することができる。
【００２３】
図２は素材１６０を用いて組み立てられる棚２００の一例を示す斜視図である。以下、ユーザが棚２００を発注する場合を例として、本実施形態に係る受注販売システム１００の動作を説明する。
【００２４】
図２に示すように、棚２００は、棚２００の四隅に立てられる４個の鉛直支柱２１０と、棚２００の幅方向に延びる計８個の第一水平支柱２３１と、棚２００の長さ方向に延びる計８個の第二水平支柱２３２と、２個の第一水平支柱２３１と２個の第二水平支柱２３２とにより形成される矩形状の枠に嵌め込まれる棚板２２０と、から構成される。
【００２５】
図２に示す棚２００は４段であるので、４枚の棚板２２０を備えている。
【００２６】
ユーザが棚２００を発注する場合には、最初に、以下の条件（１）乃至（６）を決定する。
（１）発注する家財の種類：棚
（２）棚２００の色
（３）棚２００の高さＨ
（４）棚２００の幅方向の長さＷ
（５）棚２００の長さ方向の長さＬ
（６）棚板２２０の枚数
【００２７】
例えば、販売者は受注用のサイトを設けておき、ユーザが販売者のサイトにアクセスした後、当該サイトに表示される順序に従って、上記条件の各々を指定することができるようにすることも可能である。
【００２８】
条件（１）乃至（６）を決定した後、ユーザは第一通信装置１１０からネットワーク機構１２０を介して電気信号（具体的には、Ｅメール）を販売者側の第二通信装置１３０に送信する。この電気信号には上記（１）乃至（６）に示される棚２００の仕様を示すデータが含まれている。
【００２９】
販売者側の第二通信装置１３０は第一通信装置１１０から上記の電気信号を受信すると、その電気信号をデータ変換装置１４０に送信する。
【００３０】
データ変換装置１４０は、第二通信装置１３０から上記電気信号を受信すると、この電気信号を自動加工装置１５０が読み取り可能な形式のデータに変換する。
【００３１】
データ変換装置１４０により変換されたデータは自動加工装置１５０に送信される。
【００３２】
自動加工装置１５０は、データ変換装置１４０から受信したデータに従って、素材１６０すなわち第一押し出し部材１６１、第二押し出し部材１６２及び第三押し出し部材１６３を切断加工する。
【００３３】
具体的には、第一水平支柱２３１として第一押し出し部材１６１を長さＨに切断する。
【００３４】
さらに、第一水平支柱２３１として第三押し出し部材１６３を長さＷに、第二水平支柱２３２として第三押し出し部材１６３を長さＬにそれぞれ切断加工する。
【００３５】
さらに、棚板２２０として第二押し出し部材１６２を長さＬに切断加工する（第二押し出し部材１６２は幅Ｗを有するものを予め選定する）。
【００３６】
第一押し出し部材１６１、第二押し出し部材１６２及び第三押し出し部材１６３は作業者が手動で自動加工装置１５０に供給してもよく、あるいは、素材１６０を取り出し、その素材１６０を自動加工装置１５０まで持ち込むロボットを使用することもできる（そのようなロボットを自動加工装置１５０の一部として構成することも可能である）。
【００３７】
以上のようにして、棚２００を構成する各部品が加工される。
この後、加工された部品はユーザに配送される。
加工された部品を受け取ったユーザは、それらを組み立てることにより、棚２００を得ることができる。
【００３８】
以上のように、本実施形態に係る受注販売システム１００によれば、ユーザが発注した棚２００を構成する複数種類または複数個の部品は自動加工装置１５０により自動的に加工される。ユーザはそれらの部品を組み立てることにより、棚２００を得ることができる。このように、本実施形態に係る受注販売システム１００は、ユーザに対しては利便性を提供するとともに、販売者側に対しては効率的な受注販売を可能にする。
【００３９】
なお、本実施形態に係る受注販売システム１００は上記の構造に限定されるものではなく、種々の改変が可能である。
【００４０】
例えば、第二通信装置１３０及びデータ変換装置１４０をオフィスに設置し、自動加工装置１５０を工場に配置することも可能である。この場合、データ変換装置１４０と自動加工装置１５０とはネットワーク機構１２０を介して接続される。
【００４１】
また、上記の実施形態においては、棚２００を例として説明したが、棚２００以外の家財、例えば、机、ハンガースタンド、タンスなどの複数種類または複数個の部品を組み立てることにより形成される家財であれば、任意のものを受注販売システム１００の対象とすることができる。
【００４２】
さらに、素材１６０は上記の第一押し出し部材１６１、第二押し出し部材１６２及び第三押し出し部材１６３に限定されるものではなく、円形断面を有する素材、平板状の素材など任意の素材を使用することが可能である。
【符号の説明】
【００４３】
１００  本発明の一実施形態に係る受注販売システム
１１０  第一通信装置
１２０  ネットワーク機構
１３０  第二通信装置
１４０  データ変換装置
１５０  自動加工装置
１６０  素材
１６１  第一押し出し部材
１６２  第二押し出し部材
１６３  第三押し出し部材
２００  棚
【図１】
2016170717.tif 000003
【図２】
2016170717.tif 000004
【図３】
2016170717.tif 000005
【図４】
2016170717.tif 000006
【図５】
2016170717.tif 000007
【手続補正書】
【提出日】平成28年4月20日(2016.4.20)
【手続補正１】
【補正対象書類名】特許請求の範囲
【補正対象項目名】請求項１
【補正方法】変更
【補正の内容】
【請求項１】
電気信号を発信する第一通信装置と、
ネットワーク機構と、
前記ネットワーク機構を介して前記第一通信装置が発信した電気信号を受信する第二通信装置と、
アルミニウム製の部材を加工する加工装置と、
前記第二通信装置が受信した前記電気信号を前記加工装置が読み取り可能な形式のデータに変換する変換装置と、
からなるシステムであって、
前記第一通信装置が発信する前記電気信号には、前記第一通信装置の管理者が指定した完成品としての家財の仕様を示すデータが含まれており、
前記変換装置が変換する前記データには、前記家財を構成する複数の部材の各々の仕様を示す仕様データが含まれており、
前記加工装置は、前記仕様データが入力されると、前記仕様データに従って、前記複数の部材の各々を加工するものであるシステム。
【手続補正２】
【補正対象書類名】明細書
【補正対象項目名】０００６
【補正方法】変更
【補正の内容】
【０００６】
上記の目的を達成するため、本発明は、電気信号を発信する第一通信装置と、ネットワーク機構と、前記ネットワーク機構を介して前記第一通信装置が発信した電気信号を受信する第二通信装置と、アルミニウム製の部材を加工する加工装置と、前記第二通信装置が受信した前記電気信号を前記加工装置が読み取り可能な形式のデータに変換する変換装置と、からなるシステムであって、前記第一通信装置が発信する前記電気信号には、前記第一通信装置の管理者が指定した完成品としての家財の仕様を示すデータが含まれており、前記変換装置が変換する前記データには、前記家財を構成する複数の部材の各々の仕様を示す仕様データが含まれており、前記加工装置は、前記仕様データが入力されると、前記仕様データに従って、前記複数の部材の各々を加工するものであるシステムを提供する。